(57)【要約】【課題】ダンボールや紙等の緩衝材を使用せず、再使用可能な治具を用いて複数の軒樋に擦り傷等を付けることなく梱包するための構造およびそれにより得られる梱包体を提供する。【解決手段】底壁の両端から前後の側壁が立設され、両側壁の上端にそれぞれ、中空の耳縁が形成された角形の２本の軒樋４、５を開口部を対向させ、互いの開口部に相手側の軒樋の一方の側壁を挿入し、梱包するための構造であって、上記対向する軒樋４、５間に支保部Ａが介装されるとともに、この支保部Ａが２個の軒樋内継手２、３とこの内継手２、３を互いに逆向きに結合させる継手治具１とからなる軒樋の梱包用構造およびそれにより得られる軒樋梱包体Ｂ。【選択図】図１
2008120429.tif 000002
【特許請求の範囲】
【請求項１】
底壁の両端から前後の側壁が立設され、両側壁の上端にそれぞれ、中空の耳縁が形成された角形の２本の軒樋を開口部を対向させ、互いの開口部に相手側の軒樋の一方の側壁を挿入し、梱包するための構造であって、上記対向する軒樋間に支保部が介装されるとともに、この支保部が２個の軒樋内継手とこの内継手を互いに逆向きに結合させる継手治具とからなる軒樋の梱包用構造。
【請求項２】
上記対向する軒樋間に複数個の支保部が介装される請求項１に記載の軒樋の梱包用構造。
【請求項３】
上記継手治具が再使用可能である請求項１に記載の軒樋の梱包用構造。
【請求項４】
底壁の両端から前後の側壁が立設され、両側壁の上端にそれぞれ、中空の耳縁が形成された角形の２本の軒樋を開口部を対向させ、互いの開口部に相手側の軒樋の一方の側壁を挿入し、梱包するための構造であって、上記対向する軒樋間に複数の支保部が介装されるとともに、この支保部が２個の軒樋内継手とこの内継手を互いに逆向きに結合させる継手治具とからなる軒樋の梱包用構造を梱包手段で梱包してなる軒樋梱包体。
【発明の詳細な説明】
【技術分野】
【０００１】
本発明は、軒樋の梱包用構造及び軒樋梱包体に関する。さらに詳しくは、複数本の軒樋を組み合わせて梱包する際、軒樋どうしの接触をなくして擦り傷等が付かないように梱包するための構造およびそれにより得られる梱包体に関する。
【背景技術】
【０００２】
従来、底壁の両端から前後の側壁が立設され、両側壁の上端にそれぞれ、中空の耳縁が形成された角形の軒樋を梱包するに際し、上部開口を対向させた２本の軒樋を対として互いの上部開口内に相手側の軒樋の一方の側壁を挿入し、回りを発泡スチロール等の保護材で保護してダンボール箱に梱包することが行われている。しかしながら、このようにして軒樋を梱包し、輸送する場合、輸送時に軒樋の表面に擦り傷が生じるという問題があり、また、用済み後の発泡スチロールやダンボール等の保護材は廃棄処分しなければならず、省資源の観点から好ましくないという問題がある。
【０００３】
そこで、下記特許文献１には、複数本の雨樋（竪樋、軒樋）を並列に組み合わせた状態で、それらの両端面に前記複数本の雨樋を位置規制して相互接触することを防止する突条材または立壁材あるいはその両方を配置した端部保護材が挿入され、筒状に梱包される雨樋の通い箱の梱包構造が開示されている。
【特許文献１】特開２００６−８９１１８号公報（第１〜３頁、第１図、第２図）
【発明の開示】
【発明が解決しようとする課題】
【０００４】
上記特許文献１に記載の雨樋の通い箱の梱包構造は、複数本の雨樋（竪樋、軒樋）を保護材で確実に固定し、輸送時に複数本の雨樋が接触しないようにして擦り傷をなくすとともに、通い箱により保護材を再使用できるという利点があるが、構造が複雑であり、物流コストが嵩むという問題がある。また、倉庫に保管時にねじれ等の変形を生じるおそれがあるという問題もある。
【０００５】
本発明はこのような問題を解決して、ダンボールや紙等の緩衝材を使用せず、再使用可能な治具を用いて複数の軒樋に擦り傷等を付けることなく梱包するための構造およびそれにより得られる梱包体を提供することを、その課題とする。
【課題を解決するための手段】
【０００６】
上記課題を解決するために、本発明においては、つぎのような技術的手段を講じている。すなわち、請求項１に記載の発明によれば、底壁の両端から前後の側壁が立設され、両側壁の上端にそれぞれ、中空の耳縁が形成された角形の２本の軒樋を開口部を対向させ、互いの開口部に相手側の軒樋の一方の側壁を挿入し、梱包するための構造であって、上記対向する軒樋間に支保部が介装されるとともに、この支保部が２個の軒樋内継手とこの内継手を互いに逆向きに結合させる継手治具とからなる軒樋の梱包用構造が提供される。
【０００７】
上記支保部を構成する軒樋内継手は弾性を有する材料から形成されることが好ましく、例えば、硬質ポリ塩化ビニル、ポリエチレン、ポリプロピレン、ポリカーボネート等の合成樹脂が好ましく用いられる。軒樋の形状は角形であればとくに限定されず、前後の側壁が同高であっても、前側壁が後側壁より高くてもよい。上記前側壁には段部や溝部、後方への傾斜部等が設けられてもよい。
【０００８】
請求項２に記載の軒樋の梱包用構造は、請求項１に記載の発明に加えて、上記対向する軒樋間に複数個の支保部が介装されることが好ましい。好ましくは、２ないし３個の支保部が介装され、介装位置はスライド自在に調整可能とされる。
【０００９】
請求項３に記載の軒樋の梱包用構造は、請求項１に記載の発明に加えて、上記継手治具が再使用可能とされる。継手治具の材質としては、とくに限定されず、硬質ポリ塩化ビニル、ポリエチレン、ポリプロピレン、ポリカーボネート等の合成樹脂、また、鉄、ステンレススティール、銅、アルミニウム等の金属、あるいは、鉄等の金属製芯材の両面に硬質ポリ塩化ビニルの被覆層を設ける等、これらの材質を適宜組み合わせて使用してもよい。
【００１０】
請求項４に記載の第２発明によれば、底壁の両端から前後の側壁が立設され、両側壁の上端にそれぞれ、中空の耳縁が形成された角形の２本の軒樋を開口部を対向させ、互いの開口部に相手側の軒樋の一方の側壁を挿入し、梱包するための構造であって、上記対向する軒樋間に支保部が介装されるとともに、この支保部が２個の軒樋内継手とこの内継手を互いに逆向きに結合させる継手治具とからなる軒樋の梱包用構造を梱包手段で梱包してなる軒樋梱包体が提供される。
【発明の効果】
【００１１】
請求項１に記載の第１発明にかかる軒樋の梱包用構造は上記のとおりであり、対向する角形の２本の軒樋の開口部に相手側の軒樋の一方の側壁を挿入し、梱包するための構造であって、上記対向する軒樋間に支保部が介装され、この支保部が２個の軒樋内継手とこの内継手を互いに逆向きに結合させる継手治具とからなるため、結束用帯バンド等の梱包手段を用いることにより簡単に梱包することができる。また、支保部には上記したように、２個の軒樋内継手が組み込まれているため、軒樋本体と一緒に施工用の部品である軒樋内継手を倉庫に保管することが可能であり、施工現場まで運搬することもできる。
【００１２】
請求項２に記載の軒樋の梱包用構造は上記のとおりであり、請求項１の軒樋の梱包用構造の有する効果に加え、上記対向する軒樋間に複数個、好適には、２ないし３個の支保部が介装されるため、外側からの圧力やねじれ等にしっかりと対抗することができる。また、支保部の位置がスライドが調整可能であるため、荷重のかかる場所等に支保部を移動して効果的に外側からの圧力やねじれ等に対抗することができる。
【００１３】
請求項３に記載の軒樋の梱包用構造は上記のとおりであり、請求項１の軒樋の梱包構造の有する効果に加え、上記継手治具は、硬質ポリ塩化ビニル、ポリエチレン、ポリプロピレン、ポリカーボネート等の合成樹脂、また、鉄、ステンレススティール、銅、アルミニウム等の金属、あるいは、鉄等の金属製芯材の両面に硬質ポリ塩化ビニルの被覆層を設ける等、これらの材質を適宜組み合わせてなるため、リターナブルであり繰り返し再使用できる。
【００１４】
請求項４に記載の第２発明にかかる軒樋梱包体は上記のとおりであり、請求項１に記載の軒樋の梱包用構造を結束用帯バンド等の梱包手段でしっかりと梱包して軒樋梱包体とするため、輸送時や保管時等に、軒樋にねじれや凹み等の変形が生じることを防ぐことができる。また、緩衝材として用いられた支保部は再使用可能であり、省資源を図ることもできる。
【発明を実施するための最良の形態】
【００１５】
以下、本願第１発明にかかる軒樋の梱包用構造の実施形態について図面を参照して詳細に説明する。図１は、上記軒樋の梱包用構造にかかり、対向する軒樋間に介装される支保部Ａを示す分解斜視図である。上記支保部Ａは、継手治具１とこの継手治具１によって結合される軒樋内継手２および軒樋内継手３とからなり、角形の軒樋を対向して梱包する際に介装される。
【００１６】
図１に示されるように、継手治具１は上部平行リブ１１と下部平行リブ１２の２本の平行リブとこれらを支持する左垂直板１３および右垂直板１４とからなり、軒樋内継手３の補強部３１は上記上部平行リブ１１に掛着するとともに、内継手３の係止爪３２は上部平行リブ１１の下面に係止する。同様に、軒樋内継手２の補強部２１は上記下部平行リブ１２に掛着するとともに、内継手２の係止爪２２は下部平行リブ１２の上面に係止する。また、軒樋内継手３には軒樋の前耳係止部３３が、軒樋内継手２には軒樋の前耳係止部２３がそれぞれ凹設されている。
【００１７】
図２は、上記のようにして軒樋内継手２と軒樋内継手３とを継手治具１によって結合し形成された支保部Ａを示す部分断面側面図である。図２に示すように、弾性材料からなる軒樋内継手３の補強部３１は、係止爪３２が上部平行リブ１１の下面に弾性係止することによって上部平行リブ１１にしっかりと掛着する。また、軒樋内継手２の補強部２１は、係止爪２２が下部平行リブ１２の上面に弾性係止することによって、下部平行リブ１２にしっかりと掛着し、このようにして、継手治具１は軒樋内継手２と軒樋内継手３とを結合させ支保部Ａが形成される。
【００１８】
図３は、上記した支保部Ａを示す側面図であり、図４は、図３に示す支保部Ａを対向する軒樋４と軒樋５との間に介装した状態を示す部分断面側面図である。上記支保部Ａを介装する方法は軒樋どうしを内継手によって接続するときと同様であり、図４に示すように、断面で示した軒樋４をその前側壁４１に形成された前耳縁４１１を軒樋内継手３の端部に凹設された前耳係止部３３に係止するとともに、後側壁４２に形成された後耳縁４２１を軒樋内継手３の後側に係合させる。
【００１９】
同様にして、断面で示した軒樋５をその前側壁５１に形成された前耳縁５１１を軒樋内継手２の端部に凹設された前耳係止部２３に係止するとともに、後側壁５２に形成された後耳縁５２１を軒樋内継手２の後側に係合させる。このようにすることによって、開口部を対向させた角形の２本の軒樋の間に支保部Ａを介装することができる。
【００２０】
図５は角形の軒樋４と軒樋５の開口部を対向させ、互いの開口部に相手側の軒樋の一方の側壁を挿入し、２個の支保部Ａを介装した第１発明にかかる軒樋の梱包用構造を示す説明図である。図５に示されているように、軒樋４と軒樋５とは２個の支保部Ａを緩衝材として用いることによって、軒樋どうしが擦れあって傷むことなく組み合わせることができる。
【００２１】
また、支保部Ａには上記したように、２個の軒樋内継手が組み込まれているため、軒樋本体と一緒に施工用の部品である軒樋内継手を倉庫に保管することができるとともに、施工現場まで運搬することもできる。図６は、図５に示す上記軒樋の梱包用構造を結束用帯バンド６等の梱包手段を用いて結束し、梱包体とした本願第２発明にかかる軒樋梱包体Ｂを示す説明図である。
【００２２】
図６に示されているように、本願第１発明にかかる軒樋の梱包用構造を結束用帯バンド６で結束することにより、支保部Ａが内側で支え、結束用帯バンド６が外側からしっかりと締着して輸送時や保管時に、軒樋にねじれ等の変形が生じることのない本願第２発明にかかる軒樋梱包体Ｂとすることができる。さらに、結束用帯バンド６で結束するとともに、両端部を蓋体で覆ってもよい。また、梱包手段としては上記結束用帯バンド６に限られず、紙やプラスチックス等の材料から構成された筒状の包装材で梱包してもよい。このように、本発明は種々設計変更可能であり、特許請求の範囲を逸脱しない限り、いずれの場合も本発明の技術的範囲に属する。
【図面の簡単な説明】
【００２３】
【図１】本願第１発明の軒樋の梱包用構造にかかる支保部を示す分解斜視図である。
【図２】上記支保部を示す部分断面側面図である。
【図３】上記支保部を示す側面図である。
【図４】上記支保部を対向する軒樋と軒樋との間に介装した状態を示す部分断面側面図である。
【図５】本願第１発明にかかる軒樋の梱包用構造を示す説明図である。
【図６】本願第２発明にかかる軒樋梱包体を示す説明図である。
【符号の説明】
【００２４】
Ａ          本願第１発明の軒樋の梱包用構造にかかる支保部
Ｂ          本願第２発明にかかる軒樋梱包体
１          継手治具
１１        上部平行リブ
１２        下部平行リブ
１３        左垂直板
１４        右垂直板
２          軒樋内継手
２１        補強部
２２        係止爪
２３        前耳係止部
３          軒樋内継手
３１        補強部
３２        係止爪
３３        前耳係止部
４          軒樋
４１        前側壁
４１１      前耳縁
４２        後側壁
４２１      後耳縁
５          軒樋
５１        前側壁
５１１      前耳縁
５２        後側壁
５２１      後耳縁
６          結束用帯バンド
【図１】
2008120429.tif 000003
【図２】
2008120429.tif 000004
【図３】
2008120429.tif 000005
【図４】
2008120429.tif 000006
【図５】
2008120429.tif 000007
【図６】
2008120429.tif 000008